(57)【要約】【課題】入力される光パワーを適切に管理し、受信特性を安定化することができる光受信器を提供する。【解決手段】本実施形態の光受信器を、光減衰手段１と、分離手段２と、光電変換手段３と、制御信号生成手段４を備える構成とする。光減衰手段１は、入力された信号光の光パワーを減衰する。分離手段２は、光減衰手段１が光パワーを減衰した信号光を偏波分離する。光電変換手段３は、分離手段２によって偏波分離された偏波成分ごとに備えられ、共通の電源線を介して電源に接続されている光電変換素子によって、偏波成分それぞれの信号光を電気信号に変換して出力する。制御信号生成手段４は、電源線に流れる電流の変動を検出し、光減衰手段１における光パワーの減衰量を制御する制御信号を電流の変動の検出結果に基づいて生成する。また、光減衰手段１は、制御信号に基づいて、光パワーの減衰を行う。【選択図】      図１
2019208111.tif 000002
【特許請求の範囲】
【請求項１】
入力された信号光の光パワーを減衰する光減衰手段と、
前記光減衰手段が前記光パワーを減衰した前記信号光を偏波分離する分離手段と、
前記分離手段によって偏波分離された偏波成分ごとに備えられ、共通の電源線を介して電源に接続されている光電変換素子によって、前記偏波成分それぞれの信号光を電気信号に変換して出力する光電変換手段と、
前記電源線に流れる電流の変動を検出し、前記光減衰手段における前記光パワーの減衰量を制御する制御信号を前記電流の変動の検出結果に基づいて生成する制御信号生成手段と
を備え、
前記光減衰手段は、前記制御信号に基づいて、前記光パワーの減衰を行うことを特徴とする光受信器。
【請求項２】
前記分離手段が分離した前記偏波成分ごとの信号光と、局発光とを位相が互いに９０度異なる経路でそれぞれ合波する合波手段をさらに備え、
前記光電変換手段の前記光電変換素子は、位相が互いに９０度異なる前記経路からそれぞれ出力される信号光を前記電気信号に変換することを特徴とする請求項１に記載の光受信器。
【請求項３】
前記局発光の光パワーを監視する監視手段をさらに備え、
前記制御信号生成手段は、前記電流の変動の検出結果と前記局発光の光パワーに基づいて前記制御信号を生成することを特徴とする請求項２に記載の光受信器。
【請求項４】
前記制御信号生成手段は、前記電源線を流れる電流を電圧信号に変換し、前記電圧信号を増幅した信号を前記制御信号として生成することを特徴とする請求項１または２に記載の光受信器。
【請求項５】
請求項１から４いずれかに記載の複数の光受信器と、
伝送路を介して受信する波長多重信号を分岐し、前記光受信器それぞれに分岐した前記信号光を入力する分波手段と
を備えることを特徴とする光伝送装置。
【請求項６】
入力された信号光の光パワーを減衰し、
前記光パワーを減衰した前記信号光を偏波分離し、
偏波分離された偏波成分ごとに備えられ、共通の電源線を介して電源に接続されている光電変換素子によって、前記偏波成分それぞれの信号光を電気信号に変換して出力し、
前記電源線に流れる電流の変動を検出し、前記光パワーの減衰量を制御する制御信号を前記電流の変動の検出結果に基づいて生成し、
前記制御信号に基づいて、前記光パワーの減衰を行うことを特徴とする受信方法。
【請求項７】
分離した前記偏波成分ごとの信号光と、局発光とを位相が互いに９０度異なる経路でそれぞれ合波し、
前記光電変換素子において前記経路から出力される信号光を前記電気信号に変換することを特徴とする請求項６に記載の受信方法。
【請求項８】
前記局発光の光パワーを監視し、
前記電流の変動の検出結果と前記局発光の光パワーに基づいて前記制御信号を生成することを特徴とする請求項７に記載の受信方法。
【請求項９】
前記電源線を流れる電流を電圧信号に変換し、前記電圧信号を増幅した信号を前記制御信号として生成することを特徴とする請求項６または７に記載の受信方法。
【請求項１０】
伝送路を介して受信する波長多重信号を各チャネルの信号光に分離し、
分離された前記信号光ごとに光パワーを減衰し、前記光パワーを減衰した前記信号光を偏波分離し、前記光電変換素子によって、前記偏波成分それぞれの信号光を電気信号に変換することを特徴とする請求項６から９いずれかに記載の受信方法。
【発明の詳細な説明】
【技術分野】
【０００１】
本発明は、光信号の受信技術に関するものであり、特に、受信信号の光パワーを制御する技術に関するものである。
【背景技術】
【０００２】
デジタルコヒーレント方式の大容量の光通信ネットワークシステムが広く用いられている。そのような光通信ネットワークシステムにおいて、伝送路を介して光信号を受信する光受信器は、光受信器を構成する各素子の動作および受信特性が安定していることが望ましい。受信特性を維持するためには、光受信器内の各素子の故障や特性変動を抑制し、受信特性を安定化させる必要がある。例えば、光受信器内の各素子に強い光パワーの信号光が入力されることによる故障や特性を抑制するためには、入力される光パワーを一定以下に抑える必要がある。
【０００３】
光受信器内の各素子に入力される光パワーを一定以下に保つためには、例えば、入力部に光減衰器を備えることで光パワーを減衰させる方法が用いられる。そのような、入力部に光減衰器を備えることで光パワーを減衰させる技術としては、例えば、特許文献１のような技術が開示されている。
【０００４】
特許文献１は、コヒーレント検波を行う光受信部を備える光伝送装置に関するものである。特許文献１の光伝送装置の光受信部は、入力部に可変光減衰器を備えることで入力された光信号の光パワーを減衰している。特許文献１の光受信部は、コヒーレント検波を行う際の各チャネルの光電変換素子において信号光から変換された電気信号を基に、光パワーを光電変換素子ごとに検出している。特許文献１の光受信部は、チャネルごとの検出結果を基に制御回路が可変光減衰器の減衰量を制御することで、可変光減衰器から後段に出力される光パワーを制御している。
【先行技術文献】
【特許文献】
【０００５】
【特許文献１】特開２０１６−１５４２９７号公報
【発明の概要】
【発明が解決しようとする課題】
【０００６】
しかしながら、特許文献１の技術は次のような点で十分ではない。特許文献１の光受信部は、光電変換素子ごとに光パワーを検出し、個々の検出結果を基に、可変光減衰器の減衰量を制御している。よって、入力される光パワーの総和を基に可変光減衰器の減衰量を制御するためには、変光減衰器の減衰量を判断する制御回路が必要となり、装置が大型化し得る。そのため、特許文献１は、装置構成を複雑化することなく入力される光パワーを適切に管理し、受信特性を安定化する技術としては十分ではない。
【０００７】
本発明は、上記の課題を解決するため、装置構成を複雑化することなく入力される光パワーを適切に管理し、受信特性を安定化することができる光受信器を提供することを目的としている。
【課題を解決するための手段】
【０００８】
上記の課題を解決するため、本発明の光減衰手段と、分離手段と、光電変換手段と、制御信号生成手段を備えている。光減衰手段は、入力された信号光の光パワーを減衰する。分離手段は、光減衰手段が光パワーを減衰した信号光を偏波分離する。光電変換手段は、分離手段によって偏波分離された偏波成分ごとに備えられ、共通の電源線を介して電源に接続されている光電変換素子によって、偏波成分それぞれの信号光を電気信号に変換して出力する。制御信号生成手段は、電源線に流れる電流の変動を検出し、光減衰手段における光パワーの減衰量を制御する制御信号を電流の変動の検出結果に基づいて生成する。また、光減衰手段は、制御信号に基づいて、光パワーの減衰を行う。
【０００９】
本発明の受信方法は、入力された信号光の光パワーを減衰し、光パワーを減衰した信号光を偏波分離する。本発明の受信方法は、偏波分離された偏波成分ごとに備えられ、共通の電源線を介して電源に接続されている光電変換素子によって、偏波成分それぞれの信号光を電気信号に変換して出力する。本発明の受信方法は、電源線に流れる電流の変動を検出し、光パワーの減衰量を制御する制御信号を電流の変動の検出結果に基づいて生成する。本発明の受信方法は、制御信号に基づいて、光パワーの減衰を行う。
【発明の効果】
【００１０】
本発明によると、装置構成を複雑化することなく入力される光パワーを適切に管理し、受信特性を安定化することができる。
【図面の簡単な説明】
【００１１】
【図１】本発明の第１の実施形態の構成の概要を示す図である。
【図２】本発明の第２の実施形態の構成の概要を示す図である。
【図３】本発明と対比した構成の光受信器の構成の例を示す図である。
【図４】本発明の第２の実施形態の光受信器を用いた光伝送装置の構成の例を示す図である。
【発明を実施するための形態】
【００１２】
（第１の実施形態）
本発明の第１の実施形態について図を参照して詳細に説明する。図１は、本実施形態の光受信器の構成の概要を示したものである。本実施形態の光受信器は、光減衰手段１と、分離手段２と、光電変換手段３と、制御信号生成手段４を備えている。光減衰手段１は、入力された信号光の光パワーを減衰する。分離手段２は、光減衰手段１が光パワーを減衰した信号光を偏波分離する。光電変換手段３は、分離手段２によって偏波分離された偏波成分ごとに備えられ、共通の電源線を介して電源に接続されている光電変換素子によって、偏波成分それぞれの信号光を電気信号に変換して出力する。制御信号生成手段４は、電源線に流れる電流の変動を検出し、光減衰手段１における光パワーの減衰量を制御する制御信号を電流の変動の検出結果に基づいて生成する。また、光減衰手段１は、制御信号に基づいて、光パワーの減衰を行う。
【００１３】
本実施形態の光受信器は、光電変換素子に電源を供給する共通の電源線に流れる電流の変動を制御信号生成手段４が検出し、光減衰手段１における光パワーの減衰量を制御している。すなわち、本実施形態の光受信器は、共通の電源線に流れる電流の変動の検出結果を基にすることで、複数の光電変換素子に入力される信号光の光パワーの総和を基に、信号光の光パワーの減衰量を制御することができる。よって、本実施形態の光受信器は、共通の電源線に流れる電流の変動を基に制御することで装置構成の複雑化を抑制しつつ、光受信器に入力される光パワーの総和に基づいて適切に減衰量を制御することができる。その結果、本実施形態の光受信器を用いることで、光受信器内の各素子に入力される信号光の光パワーを適切に管理することで各素子を保護し、受信特性を安定化することができる。
【００１４】
（第２の実施形態）
本発明の第２の実施形態について図を参照して詳細に説明する。図２は、本実施形態の光受信器１００の構成の概要を示したものである。本実施形態の光受信器１００は、デジタルコヒーレント方式の光通信システムにおいて、コヒーレント検波によって光信号を受信するモジュールとして用いられる。
【００１５】
光受信器１００の構成について説明する。本実施形態の光受信器１００は、光受信部１０と、信号処理部２０と、局発光源部３０と、電源部４０を備えている。
【００１６】
光受信部１０は、可変光減衰器１１と、ビームスプリッタ１２と、光ハイブリッド１３と、フォトダイオード１４と、トランスインピーダンスアンプ１５と、抵抗１６と、差動増幅回路１７を備えている。
【００１７】
可変光減衰器１１は、入力された光信号の光パワーを減衰して出力する。可変光減衰器１１は、差動増幅回路１７から制御信号として入力される信号の電圧値に基づいて光パワーの減衰量を制御する。
【００１８】
本実施形態の可変光減衰器１１は、制御信号の電圧の振幅値が大きくなるほど光パワーの減衰量が増加するように構成されている。可変光減衰器１１には、例えば、ＭＥＭＳ（Micro Electro Mechanical Systems）型の光減衰器が用いられる。また、本実施形態の可変光減衰器１１の機能は、第１の実施形態の光減衰手段１に相当する。
【００１９】
ビームスプリッタ１２は、入力された光信号を偏波分離して出力する。ビームスプリッタ１２は、光信号を偏波分離するビームスプリッタ１２−１と、局発光を偏波分離するビームスプリッタ１２−２が備えられている。ビームスプリッタ１２−１は、通信路から入力された光信号を偏波分離し、Ｘ偏波を光ハイブリッド１３−１に出力し、Ｙ編波を光ハイブリッド１３−２に送る。また、ビームスプリッタ１２−２は、局発光源部３０から入力される光を偏波分離し、Ｘ偏波を光ハイブリッド１３−１に出力し、Ｙ編波を光ハイブリッド１３−２に送る。また、本実施形態のビームスプリッタ１２の機能は、第１の実施形態の分離手段２に相当する。
【００２０】
光ハイブリッド１３は、入力された光信号と局発光を位相が９０度異なる２つの経路で干渉させることで合波する。光ハイブリッド１３−１は、ビームスプリッタ１２−１から入力される光信号のＸ編波成分と、ビームスプリッタ１２−２から入力される局発光のＸ偏波成分を位相が互いに９０度異なる２つの経路で合波する。
【００２１】
光ハイブリッド１３−１は、光信号と局発光を位相が９０度異なる経路で合波することで生成したＩ相（In - phase）成分とＱ相（Quadrature）成分の信号を、フォトダイオード１４−１と、フォトダイオード１４−２に送る。
【００２２】
光ハイブリッド１３−２は、ビームスプリッタ１２−１から入力される光信号のＹ偏波成分と、ビームスプリッタ１２−２から入力される局発光のＹ偏波成分を位相が互いに９０度異なる２つの経路で合波する。光ハイブリッド１３−２は、光信号と局発光を位相が９０度異なる経路で合波することで生成したＩ相成分とＱ相成分の信号を、フォトダイオード１４−３と、フォトダイオード１４−４に送る。
【００２３】
フォトダイオード１４は、入力された光信号を電気信号に変換し、アノード側に接続されているトランスインピーダンスアンプ１５に電流信号として出力する。本実施形態のフォトダイオード１４は、バランス型のフォトダイオードとして形成されている。各フォトダイオード１４は、電源部４０に接続されている。
【００２４】
フォトダイオード１４−１とフォトダイオード１４−２は、光ハイブリッド１３−１から入力されるＸ偏波のＩ相成分とＱ相成分の光信号を電気信号に変換し、トランスインピーダンスアンプ１５−１とトランスインピーダンスアンプ１５−２に出力する。フォトダイオード１４−３とフォトダイオード１４−４は、光ハイブリッド１３−２から入力されるＹ偏波のＩ相成分とＱ相成分の光信号を電気信号に変換し、トランスインピーダンスアンプ１５−３とトランスインピーダンスアンプ１５−４に出力する。また、本実施形態のフォトダイオード１４の機能は、第１の実施形態の光電変換手段３に相当する。
【００２５】
抵抗１６は、電源部４０と各フォトダイオード１４の間に備えられている。抵抗１６の抵抗値は、差動増幅回路１７が電源線を流れる電流の変動を、電圧の変動として検出できるように設定されている。
【００２６】
差動増幅回路１７は、抵抗１６の両端に接続され、抵抗１６の両端の電圧差に基づく電圧信号を増幅して出力する。差動増幅回路１７は、オペアンプを用いて構成されている。差動増幅回路１７は、出力信号の電圧の振幅が可変光減衰器１１の制御に適した振幅となるように増幅する。差動増幅回路１７における増幅率は、出力信号の電圧の振幅が可変光減衰器１１の制御に適した振幅となるようにあらかじめ設定されている。また、本実施形態の差動増幅回路１７は、第１の実施形態の制御信号生成手段４に相当する。
【００２７】
トランスインピーダンスアンプ１５は、フォトダイオード１４から入力される電流信号を電圧信号に変換して信号処理部２０に出力する。トランスインピーダンスアンプ１５は、各フォトダイオード１４に対応し、トランスインピーダンスアンプ１５−１、トランスインピーダンスアンプ１５−２、トランスインピーダンスアンプ１５−３およびトランスインピーダンスアンプ１５−４として４個備えられている。
【００２８】
信号処理部２０は、受信した信号の歪み補正、偏波分離、復号および誤り訂正等の受信処理を行って信号を復調する。信号処理部２０は、入力部にアナログデジタル変換素子を備えている。信号処理部２０は、ＤＳＰ（Digital Signal Processor）よって構成されている。信号処理部２０は、ＦＰＧＡ（Field Programmable Gate Array）等のＤＳＰ以外の半導体装置を用いて構成されていてもよい。また、信号処理部２０の受信処理は、ＣＰＵ（Central Processing Unit）のような汎用プロセッサがコンピュータプログラムを実行することで行われてもよい。
【００２９】
局発光源部３０は、通信路を介して伝送されてくる光信号と合波し、中間周波数の光信号を生成する際に用いる局発光を生成する。局発光源部３０は、半導体レーザを備え、通信路を介して伝送されてくる光信号の周波数を基に設定されている周波数の光を出力する。局発光源部３０は、光通信システムの波長設計に基づいて光受信器１００に割り当てられている受信する光信号の波長に基づいて局発光の波長を変更できるように、出力する光の波長が可変であってもよい。
【００３０】
電源部４０は、各フォトダイオード１４に電流を供給する直流電源である。電源部４０は、各フォトダイオード１４に共通の電源線を介して電流を供給する。各フォトダイオード１４のカソードは、電源部４０からの電源線に接続されている。また、電源部４０と各フォトダイオード１４のカソードを接続する電源線には、抵抗１６が備えられている。
【００３１】
本実施形態の光受信器１００の動作について説明する。通信路を介して伝送され、光受信器１００に入力された信号光は、可変光減衰器１１に送られる。信号光が入力されると、可変光減衰器１１は、信号光の光パワーを減衰してビームスプリッタ１２−１に送る。可変光減衰器１１は、差動増幅回路１７から入力される信号の電圧の振幅値に応じた減衰量となるように信号光の減衰を行う。可変光減衰器１１における減衰量は、差動増幅回路１７から入力される信号の電圧の振幅値が大きくなるほど大きくなるように設定されている。
【００３２】
減衰が施された信号光が入力されると、ビームスプリッタ１２−１は、信号光をＸ偏波とＹ偏波の光信号に分離する。信号光を偏波分離すると、ビームスプリッタ１２−１は、Ｘ編波の信号光を光ハイブリッド１３−１に出力し、Ｙ編波の信号光を光ハイブリッド１３−２に出力する。
【００３３】
また、局発光源部３０は、通信路を介して伝送されてくる光信号と干渉させ、中間周波数の光信号を生成する際に用いる局発光を出力する。局発光源部３０が出力した局発光は、ビームスプリッタ１２−２に送られる。局発光が入力されると、ビームスプリッタ１２−２は、局発光をＸ偏波とＹ偏波の光信号に分離する。局発光を偏波分離すると、ビームスプリッタ１２−１は、Ｘ編波の局発光を光ハイブリッド１３−１に出力し、Ｙ編波の局発光を光ハイブリッド１３−２に出力する。
【００３４】
信号光と局発光が入力されると、光ハイブリッド１３−１および光ハイブリッド１３−２は、ビームスプリッタ１２−１から入力される信号光とビームスプリッタ１２−２から入力される局発光を干渉させ、Ｉ相成分とＱ相成分に対応する中間周波数の信号を生成する。光ハイブリッド１３−１は、生成した中間周波数の光信号をフォトダイオード１４−１とフォトダイオード１４−２に送る。また、光ハイブリッド１３−２は、生成した中間周波数の光信号をフォトダイオード１４−３とフォトダイオード１４−４に送る。
【００３５】
光信号が入力されると、各フォトダイオード１４は、入力された光信号を電気信号に変換し、信号処理部２０に送る。光信号から変換された電気信号が入力されると、信号処理部２０は、入力された信号をデジタル信号に変換し、復調処理を施す。信号処理部２０は、復調した信号を光受信器１００が備えられている光伝送装置に出力する。
【００３６】
光信号を電気信号に変換する各フォトダイオード１４には、電源部４０によってバイアス電圧が印加されている。電源部４０とフォトダイオード１４を接続する共通の電源線に流れる電流は、各フォトダイオード１４に入射される光信号の光パワーによって変化する。そのため、共通の電源線に流れる電流は、全てのフォトダイオード１４に入射される光信号の光パワーの総和によって変化する。
【００３７】
差動増幅回路１７は、電源線上の抵抗１６の両端に接続され、抵抗の両端の電圧が差動増幅回路１７のオペアンプの入力端子に印加させる。すなわち、差動増幅回路１７は、電源線上の抵抗１６に流れる電流の変動を抵抗の両端の電圧の変動として検出する。差動増幅回路１７は、入力端子間の電圧差に基づく電圧信号を増幅した信号を生成し、生成した信号を可変光減衰器１１に出力する。可変光減衰器１１は、差動増幅回路１７から制御信号として入力される電圧信号の電圧値に基づいて、入力される信号光を減衰して出力する。
【００３８】
図３は、本実施形態の光受信器１００と対比した構成の光受信器の構成の例を示した図である。図３の光受信器は、可変光減衰器の前段にビームスプリッタを備え、光受信器に入力された信号の一部を分岐し、光検出器において入力される信号の光パワーを計測している。また、図３の光受信器は、光検出器における光パワーの計測結果を基に制御回路において可変光減衰器における減衰量を制御し、可変光減衰器から出力される信号光の光パワーの制御を行っている。図３のような構成の光受信器では、コヒーレント受信に用いる信号光の光パワーの一部を計測用に分岐しているため、コヒーレント検波時に信号光の劣化が生じ、受信品質が低下する恐れがある。また、図３のような構成の光受信器では、分岐用のビームスプリッタ、光パワーを計測器および制御回路を必要とするため装置が大型化する恐れがある。
【００３９】
一方で、本実施形態の光受信器１００は、光電変換素子であるフォトダイオード１４に流れる電流を基に、光パワーの検出を行うのでコヒーレント検波時の信号の劣化を抑制することができる。また、本実施形態の光受信器１００は、差動増幅回路１７において電源線に流れる電流の変動を電圧信号に変換し、増幅して出力することで、可変光減衰器１１の制御量を制御する電圧信号を生成している。そのため、本実施形態の光受信器１００は、装置の大型化や複雑化を抑制することができる。
【００４０】
本実施形態の差動増幅回路１７が電流を電圧に変換して検出する光パワーは、通信路を介して伝送される信号光と局発光の光パワーに基づくものである。しかし、局発光は、変動が光パワーの変動が小さいため、差動増幅回路１７が検出する電圧の変動を基に、可変光減衰器１１における光パワーの減衰量を制御することができる。また、局発光源部３０から出力される局発光の光パワーを計測し、減衰量に反映させる構成としてもよい。そのような構成とする場合には、例えば、制御回路によって信号線の電流の変動から算出する光パワーの変動と、局発光の光パワーの変動を基に可変光減衰器１１における光パワーの減衰量が制御される。
【００４１】
本実施形態の光受信器１００は、各フォトダイオード１４に電源を供給する電源線に流れる電流の変動を、抵抗１６および差動増幅回路１７によって電圧値の振幅として検出している。よって、本実施形態の光受信器１００は、共通の電源線に流れる電流の変動の検出結果を基にすることで、複数の光電変換素子に入力される信号光の光パワーの総和に基づいた電流を電圧に変換して検出することができる。本実施形態の光受信器１００は、検出した共通の電源線の電圧変動を差動増幅回路１７において増幅し、可変光減衰器１１における光パワーの減衰量を制御している。よって、本実施形態の光受信器１００は、複雑な制御回路を必要とすることなく、入力された光パワーの総和に基づいて可変光減衰器１１が後段に出力する信号光の光パワーを制御することができる。その結果、本実施形態の光受信器１００を用いることで、装置構成を複雑化することなく光受信器１００内の各素子に入力される信号光の光パワーを適切に管理することで各素子を保護し、受信特性を安定化することができる。
【００４２】
第２の実施形態の光受信器１００は、デジタルコヒーレント方式の光通信システムの光伝送装置において光信号を受信するモジュールとして用いられる。光受信器１００は、１台の光伝送装置に複数、備えられていてもよい。図４は、第２の実施形態の光受信器１００をＮ台（Ｎは整数）備える光伝送装置２００の構成の例を示している。図４の光伝送装置２００は、伝送路から入力される波長多重信号をビームスプリッタ等で構成される分岐部で分岐し、各光受信器１００において受信処理を行っている。そのような構成とすることで、波長多重信号の受信を行い光伝送装置２００において波長多重信号に含まれる各チャネルの光信号の受信器として、第２の実施形態の光受信器１００を用いることができる。また、光伝送装置２００は、光信号を送信する光送信器をさらに備えていてもよい。
【符号の説明】
【００４３】
１    光減衰手段
２    分離手段
３    光電変換手段
４    制御信号生成手段
１０    光受信部
１１    可変光減衰器
１２    ビームスプリッタ
１３    光ハイブリッド
１４    フォトダイオード
１５    トランスインピーダンスアンプ
１６    抵抗
１７    差動増幅回路
２０    信号処理部
３０    局発光源部
４０    電源部
１００    光受信器
１０１    分波部
２００    光伝送装置
【図１】
2019208111.tif 000003
【図２】
2019208111.tif 000004
【図３】
2019208111.tif 000005
【図４】
2019208111.tif 000006